(57)【要約】【課題】  開き戸機構付き引き戸において、引き戸体が開き戸として揺動移動するときは、引き戸体が平行移動しないように構成する。【解決手段】  揺動戸体１に沿って平行移動するフレーム部４とフレーム部４に揺動自在に設けられるパネル部５とを用いて引き戸体ユニット３を構成し、フレーム部４とパネル部５とのあいだに、パネル部５の揺動規制をする引き戸体落し錠２４を設ける一方、該引き戸体落し錠２４の解錠操作に伴い下動する第二ロックレバー体２３ｂを備え、該第二ロックレバー体２３ｂが上側枠体２に設けた第二ガイド片２１に係止することでフレーム部４の閉鎖方向への平行移動を規制する第二安全装置Ｓ２を設ける構成とする。【選択図】        図２
2005048540.tif 000002
【特許請求の範囲】
【請求項１】
開口部の一側部に揺動自在に設けられ、開口部一側部を閉鎖する閉鎖姿勢を姿勢保持するロック手段が設けられた揺動戸体と、前記姿勢保持状態の揺動戸体に沿って平行移動する移動体に揺動自在に連結され、開口部他側部を移動体とともに開閉する開閉姿勢を姿勢保持するロック手段が設けられた引き戸体とを備え、引き戸体が開口部他側部を全開する全開姿勢において、各戸体に設けたロック手段を解除することで、これら戸体が一体に揺動移動して開口部を全開するように構成した開き戸機構付き引き戸において、移動体には、引き戸体の揺動移動時に移動体の平行移動を規制する平行移動規制手段が設けられている開き戸機構付き引き戸。
【請求項２】
請求項１において、平行移動規制手段は、引き戸体に設けたロック手段の解除作動に連動して引き戸体の平行移動を規制するように構成されている開き戸機構付き引き戸。
【請求項３】
請求項１または２において、平行移動規制手段は、引き戸体が予め設定される任意の開放位置に開放されることに基づいて引き戸体の閉鎖方向の平行移動を規制するように構成されている開き戸機構付き引き戸。
【請求項４】
請求項１乃至３の何れかにおいて、移動体と引き戸体とのあいだには、引き戸体を開閉姿勢に姿勢保持する副ロック手段が設けられ、該副ロック手段は、移動体が全開姿勢に変姿することに伴い自動的に解除されるように構成されている開き戸機構付き引き戸。
【発明の詳細な説明】
【技術分野】
【０００１】
本発明は、建築物の開口部を仕切る開き戸機構付き引き戸の技術分野に属するものである。
【背景技術】
【０００２】
一般に、開口部を仕切る戸体として、開口部の一側部に揺動戸体を設けて開口部の一側部を閉鎖するとともに、該揺動戸体に平行となる状態で戸体を設け、該戸体を揺動戸体に沿って移動させることで、開口部の他側部を開閉するように構成した引き戸体が知られている。ところがこのものでは、開口部として出入り自在となる部位は引き戸体が開放する他側部のみであるため、出入りする大きさにどうしても限界がある。
そこで、大開口を必要とする仕切り体として、揺動戸体を開口部一側部に揺動自在な揺動戸体とするとともに、引き戸体が開口部他側部を全開する全開姿勢となったとき、揺動戸体と引き戸体とが一体に揺動する開き戸として機能して、開口部の一方側も含めて開口部が全開状態となるように構成した開き戸機構付きの引き戸が提唱されている。
【０００３】
このようなものとして、揺動戸体に、揺動移動するとき以外は開口部を閉鎖する閉鎖姿勢に姿勢保持するためのロック手段を設けるとともに、引き戸体を、揺動戸体に対して平行移動する吊り金具（移動体に相当する）に揺動自在に連結し、吊り金具と一体に平行移動して開口部他側部を開閉する引き戸体の開閉姿勢とした状態で移動体と引き戸体とを姿勢保持するロック手段を設けて、これらロック手段が施錠された状態では、引き戸体による開口部他側部の平行移動に基づく開閉作動が可能となり、引き戸体を全開姿勢とすることに伴いそれぞれのロック手段を解除（解錠）することで、これら戸体が一体に揺動するように構成したものが提唱されている。
【特許文献１】特開平７−２９３１０２号公報
【発明の開示】
【発明が解決しようとする課題】
【０００４】
ところが、前記従来のものでは、引き戸体と吊り金具とのあいだにロック手段が設けられており、引き戸体と吊り金具が開口部他側部を全開する全開姿勢になることに伴い、前記ロック手段が自動的に解除されて引き戸体の揺動移動への操作が円滑になされるように構成されているが、吊り金具を全開姿勢の状態で移動規制する手段が設けられていないため、引き戸体に対して開口部他側部を向く力が作用した場合では、吊り金具とともに引き戸体が不用意に平行移動してしまう惧れがあって問題があり、ここに本発明の解決すべき課題がある。
【課題を解決するための手段】
【０００５】
本発明は、上記の如き実情に鑑みこれらの課題を解決することを目的として創作されたものであって、請求項１の発明は、開口部の一側部に揺動自在に設けられ、開口部一側部を閉鎖する閉鎖姿勢を姿勢保持するロック手段が設けられた揺動戸体と、前記姿勢保持状態の揺動戸体に沿って平行移動する移動体に揺動自在に連結され、開口部他側部を移動体とともに開閉する開閉姿勢を姿勢保持するロック手段が設けられた引き戸体とを備え、引き戸体が開口部他側部を全開する全開姿勢において、各戸体に設けたロック手段を解除することで、これら戸体が一体に揺動移動して開口部を全開するように構成した開き戸機構付き引き戸において、移動体には、引き戸体の揺動移動時に移動体の平行移動を規制する平行移動規制手段が設けられているものである。
そして、このようにすることにより、引き戸体を揺動移動させるとき、引き戸体の平行移動が規制されるため、各戸体を操作性よく開閉作動させることができる。
請求項２の発明は、請求項１において、平行移動規制手段は、引き戸体に設けたロック手段の解除作動に連動して引き戸体の平行移動を規制するように構成されているものであり、このようにすることにより、わざわざ平行移動を規制するための操作を行う必要がない。
請求項３の発明は、請求項１または２において、平行移動規制手段は、引き戸体が予め設定される任意の開放位置に開放されることに基づいて引き戸体の閉鎖方向の平行移動を規制するように構成されているものであり、このようにすることにより、引き戸体を全開姿勢としたときに閉鎖方向への平行移動を規制することができる。
請求項４の発明は、請求項１乃至３の何れかにおいて、移動体と引き戸体とのあいだには、引き戸体を開閉姿勢に姿勢保持する副ロック手段が設けられ、該副ロック手段は、移動体が全開姿勢に変姿することに伴い自動的に解除されるように構成されているものであり、このようにすることにより、引き戸体と移動体とのあいだの姿勢保持が確実になり、より信頼性の高い開き戸機構付き引き戸とすることができる。
【発明の効果】
【０００６】
請求項１の発明とすることにより、引き戸体が揺動移動する場合では不用意に平行移動することがなく、操作性に優れたものにすることができる。
請求項２の発明とすることにより、簡単な操作でより信頼性の高い開き戸機構付き引き戸とすることができる。
請求項３の発明とすることにより、さらに操作性に優れたものにすることができる。
請求項４の発明とすることにより、引き戸体と移動体との開閉姿勢での姿勢保持が確実で、より信頼性の高い開き戸機構付き引き戸とすることができる。
【発明を実施するための最良の形態】
【０００７】
次ぎに、本発明の実施の形態について、図面に基づいて説明する。
図中、１は例えば病院の集中治療室等の室内への出入り口部となる開口部の一側部に配設されて戸袋としても機能するように構成された揺動戸体であって、該揺動戸体１は、一側部（戸尻）が上下の枢軸１ａを介して、開口部の上部を構成する上側枠体２と、開口部の下部を構成する床面とにそれぞれ枢支され、図１の図面向かって奥側であって、本実施の形態では室外側への開放揺動が可能となるように構成されている。さらに、開口部の他側部には、揺動戸体１の室内側に沿う状態で引き戸体ユニット３が設けられており、該引き戸体ユニット３は、後述するように、閉鎖姿勢の揺動戸体１に対して平行移動して、開口部他側部を閉鎖する全閉姿勢から揺動戸体１と室内外方向に積層して開口部他側部を開放する全開姿勢とのあいだを平行移動するように構成されている。
【０００８】
前記引き戸体ユニット３は、左右に長い左右フレーム４ａと上下に長い上下フレーム４ｂとによりＬ字形状に形成され、本発明の移動体に相当するフレーム部４と、該フレーム部４の内側面に内嵌されるパネル部（本発明の引き戸体に相当する）５とを、フレーム部４に対し本体部５が室外側に開放揺動が可能となる状態で連結することにより構成されており、この構成についての詳細な説明は後述する。
そして、本実施の形態の引き戸体ユニット３は自閉式に構成されており、その構成をつぎに説明する。
つまり、前記上側枠体２は躯体開口部の上部に一体に設けられるよう長尺状に形成されており、該上側枠体２の室内側面２ａに吊りレール６が一体的に設けられている。前記吊りレール６は側面視で略Ｌ字状に形成され、上下方向を向く脚片６ａが上側枠体２に一体的に固定され、左右方向を向く脚片６ｂの先端部に上下方向を向くレール部６ｃが形成される構成となっている。そして、吊りレール６は、一側方（揺動戸体１の配設側）ほど高位に位置するよう傾斜する状態で上側枠体２に取付けられている。
【０００９】
一方、７は引き戸体ユニット３を構成するフレーム部４の左右フレーム４ａに、所定間隙を存して配される一対のローラブラケットであって、これらローラブラケット７の屋内側面にそれぞれローラ８が回動自在に枢支されている。これらローラ８は外周面に凹溝部８ａがそれぞれ形成され、該凹溝部８ａをレール部６ｃに上側から係合させることでフレーム部４（引き戸体ユニット３）が吊りレール６に吊持状に支持されるように設定されている。そして、フレーム部４は、ローラ８が吊りレール部６ｃを転動走行することで吊りレール６に沿って開閉移動を行うが、前述したように、吊りレール６は一側ほど高位置になるように傾斜しており、これによって、引き戸体ユニット３は、図２の実線で示すように、開口部他側部を閉鎖する全閉姿勢から開放操作をした場合、自重に基づいて傾斜状の吊りレール６に沿って自動的に閉鎖するように設定されており、このようにして自閉式の引き戸体ユニット３が構成されている。
【００１０】
さらに、左右フレーム４ａ（引き戸体ユニット３）の戸尻側（一側部）上端部には、上下方向揺動自在な軸部９ａの先端にローラ９ｂが軸承されたエンドストッパー９が設けられる一方、上側枠体２の室内側面２ａには、一端部側に位置してストッパ受け体１０が設けられており、図２の仮想線で示すように、引き戸体ユニット３が開口部他側部を全開する全開姿勢に変姿した場合に、エンドストッパー９がストッパ受け体１０に係止し、引き戸体ユニット３の全開姿勢を保持するように構成されている。尚、ストッパ受け体１０は、エンドストッパー９を引き戸体ユニット３の閉鎖方向に引っ張ることでエンドストッパー９との係止を解除するように構成されており、これによって、引き戸体ユニット３の全開姿勢の保持は、引き戸体ユニット３を強制的に閉鎖操作することに伴い解除されるように設定されている。尚、引き戸体ユニット３の強制的な閉鎖操作力は、ストッパ受け体１０とエンドストッパー９との係止を解除するに足る操作力であればよく、適宜の設定が可能となるように構成されている。
また、前記上側枠体２の室内側面２ａには、自動的に閉鎖する引き戸体ユニット３のローラブラケット７が全閉する少し前の段階で当接するピストンシリンダ１１が設けられており、引き戸体ユニット３の全閉に基づく衝撃が緩衝されるように設定されている。
【００１１】
さて、前記引き戸体ユニット３を構成するフレーム部４とパネル部５とは、左右フレーム部４ａのコーナー部下端部と、上下フレーム４ｂの戸先側下端部とに配設された上下の枢支軸４ｃを介して、パネル部５の戸尻側部位を枢支することにより連結されており、これによって、パネル部５は、上下の枢支軸４ｃを支点としてフレーム部４から室外側に向く開閉揺動が自在となる開き戸式となるように構成されている。さらに、左右フレーム４ａと上下フレーム５とのあいだには、左右フレーム４ａ下端面とパネル部５上端面とのあいだに位置してレバー５ａが設けられ、パネル部５のフレーム部４に対する揺動範囲が規制されるように構成されている。また、左右フレーム４ａ下端面には、戸先側に位置して略コ字形に折曲形成された止め金具２６の脚片が固定される一方、パネル部５上端面戸先側には、止め金具２６に係止する係止片を備えた受け金具２６ａが設けられており、これら止め金具２６と受け金具２６ａとは、フレーム部４に対してパネル部５が室外方向に開放揺動することで係止解除され、室内方向への閉鎖揺動で係止されて、パネル部５がフレーム部４に支持されるように構成されている。
これによって、パネル部５は、フレーム部４に対して面一状となる閉鎖状態において、戸尻側については枢支軸４ｃによる支持を受け、戸先側については止め金具２６と受け金具２６ｃとによるフレーム部４からの支持を受けるように設定され、フレーム部４に作用するパネル部５の荷重がバランスされるように配慮されている。
さらに、前記フレーム部４の上下フレーム４ｂの下端面、そして、パネル部５の下端面には、上方に凹設された凹溝４ｄ、５ｃがそれぞれ左右方向に長く連続する状態で凹設されている。また、上下フレーム４ｂ室外側面の戸尻側となる一端側縁部には、上下方向全長に亘って戸先側（他端側）が開口する係止片（引き戸体係止片）１２が一体的に設けられている。
【００１２】
一方、揺動戸体１の戸先側となる他端側縁部の下端には支持ブラケット１３が設けられ、ここに、引き戸体ユニット３の振れ止めをするべく引き戸体ユニット３の凹溝４ｄ、５ｃに嵌合する振れ止めローラ１４のローラ軸１４ａと、引き戸体ユニット３の下側部位との係止をするべく、戸尻側（一端側）が開口する係止片（以降揺動戸体下側係止片）１５とが設けられている。
さらに、揺動戸体１の他端側縁部の上端には、Ｕ字形に折曲形成されて一端側が開口する上側係止片（揺動戸体上側係止片）１６が設けられており、これら上側、下側係止片１６、１５とは、前記引き戸体ユニット３が開口部他側部を閉鎖する全閉姿勢となったとき、引き戸体ユニット３に設けられた係止片１２に係止するように設定されている。これによって、揺動戸体１には開口部一側部を閉鎖する閉鎖姿勢に姿勢保持する揺動戸体落し錠（本発明の揺動戸体のロック手段に相当する）１７が設けられているが、引き戸体ユニット３が全閉姿勢にあるときに前記揺動戸体落し錠１７による施錠状態が解除（解錠）されたとしても、係止片１２、１６、１５同志の係止によって、揺動戸体１が不用意に揺動してしまうようなことがないように構成されている。さらに、揺動戸体下側係止片１５は、引き戸体ユニット３の振れ止めをする振れ止めローラ１４が設けられる支持ブラケット１３に形成されている結果、揺動戸体下側係止片１５と引き戸体ユニット３側の係止片１２との係合がより確実になるように構成されている。
ここで、前記揺動戸体落し錠１７は、揺動戸体１の他端側面に設けられた操作レバー１７ａを上下方向揺動させることに基づいて、上下ロッド１７ｂ、１７ｃが上側枠体２の下端面、および、床面に形成された凹部１７ｄ、１７ｅに係合する施錠姿勢と、凹部１７ｄ、１７ｅとの係合解除をする解錠姿勢とに変姿するように構成されている。
尚、１８は引き戸体ユニット３に設けた操作ハンドルであり、１９は開口部上方の上側枠体２の室内側を覆うカバー体である。
【００１３】
そして、上側枠体２の室内側面２ａには、右方向中間部の所定箇所に位置して第一、第二ガイド片２０、２１が設けられている。これら第一、第二ガイド片２０、２１は、一側ほど上位に位置する傾斜状の上側ガイド面２０ａ、２１ａが形成された略三角形状片で構成されており、左右方向一側に位置する第一ガイド片２０は、他側に位置する第二ガイド片２１よりも左右方向に長く形成され、かつ、第二ガイド片２１よりも上位に位置して設けられている。
一方、フレーム部４の左右フレーム４ａには、左右方向中間部に位置して前記第一ガイド片２０とともに第一安全装置（本発明の副ロック手段に相当する）Ｓ１を構成する第一ロックバーユニット２２が内装されているとともに、他側端部である戸先に位置して前記第二ガイド片２１とともに第二安全装置（本発明の平行移動規制手段に相当する）Ｓ２を構成する第二ロックバーユニット２３が内装されている。
【００１４】
前記第一ロックバーユニット２２は、左右フレーム４ａに固定されるブラケット２２ａと、該ブラケット２２ａにガイドされて上下方向に変位自在に設けられ、左右フレーム下端面４ｅに開設した貫通孔４ｆから下方に突出してパネル部上端面５ｄに形成された係合孔５ｅに係合する係合姿勢から、係合孔５ｅから抜出してパネル部５との係合を解除する係合解除姿勢に変姿する第一ロックバー体２２ｂと、該第一ロックバー体２２ｂを係合姿勢側に向けて付勢する付勢弾機２２ｃとを備えて構成されている。
そして、第一ロックバーユニット２２は、引き戸体ユニット３が開口部他側部を閉鎖している状態において、第一ロックバー体２２ｂが係合姿勢となっており、フレーム部４に対するパネル部５の揺動規制をする（姿勢保持状態となる）ように設定されている。この状態から、引き戸体ユニット３が開放し、引き戸体ユニット３が全開状態となる少し前の段階で、第一ロックバー体２２ｂの上端部から室内側に向けて突出形成された第一アーム片２２ｄが、第一ガイド片２０のガイド面２０ａに干渉するように設定されている。因みに、第一アーム片２２ｄは、図１２に示すように、係合姿勢となっている状態において、第二ガイド片２１のガイド面２１ｃよりも上位に位置するように設定され、これによって、第二ガイド片２０に干渉することがないようにしている。前記状態からさらに引き戸体ユニット３が開放することに伴い、アーム片２２ｄは第一ガイド面２０ａ上を一側に向けて走行し、これに伴いアーム片２２ｄが次第に上方に変位し、引き戸体ユニット３が全開姿勢になることにタイミングを合せて、第一ロックバー体２２ｂがガイド面２０ａの一側（高位側）に変位するように設定されており、この状態となると、第一ロックバー体２２ｂがパネル部５の係合孔５ｅから抜出す係合解除姿勢となっており、これによって、フレーム部４に対するパネル部５の揺動が自動的に許容される（姿勢保持の解除がなされる）ように設定されている。
【００１５】
一方、前記第二ロックバーユニット２３は、パネル部５の戸先側に内装されパネル部５をフレーム部４に閉鎖姿勢で姿勢保持するための引き戸体落し錠２４（ロック手段に相当する）に連動するように設定されている。
つまり、パネル部５の戸先側に設けられる引き戸体落し錠２４は、パネル部５の他端側面に設けられた操作レバー２４ａの上下方向揺動に基づいて、上側ロッド２４ｂがパネル部５の上端面５ｄに開設された貫通孔５ｆを貫通してフレーム部下端面４ｅに開設された貫通孔４ｇに貫入して、パネル部５のフレーム部４に対する揺動規制をして閉鎖姿勢を姿勢保持する施錠姿勢と、フレーム部貫通孔４ｇから抜出してパネル部５のフレーム部４に対する揺動を許容する解錠姿勢（解除姿勢）とに変姿するように構成されている。
これに対し、第二ロックバーユニット２３は、第一ロックバーユニット２２と略同様の構成をしており、左右フレーム４ａに固定されるブラケット２３ａと、該ブラケット２３ａにガイドされて上下方向に変位自在に設けられる第二ロックバー体２３ｂと、付勢弾機２３ｃとにより構成されている。そして、第二ロックバー体２３ｂは、下端部が左右フレーム下端面４ｅの前記貫通孔４ｇに下側から抜き差しする落し錠上側ロッド２４ｂの上端面に当接するように構成されており、落し錠上側ロッド２４ｂの施錠姿勢で上動姿勢となり、落し錠上側ロッド２４ｂの解錠姿勢で下動姿勢となるよう設定されており、付勢弾機２３ｃは第二ロックバー体２３ｂを下動姿勢に向けて付勢するように設定されている。ここで、第二ロックバー体２３ｂは、下動姿勢になったとき下端部がパネル部５に干渉しない長さに寸法設定されている。
【００１６】
このように構成された第二ロックバーユニット２３は、引き戸体落し錠２４が施錠姿勢となっていて、フレーム部４とパネル部５とが上側ロッド２４ｂにより閉鎖姿勢に姿勢保持（揺動規制）されている状態では、第二ロックバー体２３ｂは上動姿勢となっており、この状態では、第二ロックバー体２３ｂの上端部から室内側に向けて突出形成された第二アーム片２３ｄが、第二ガイド片２１のガイド面２０ａに干渉することのない位置関係となっており、通常の開閉作動に何ら影響を与えない状態となっている。そして、引き戸体ユニット３を全閉姿勢から全開姿勢としたとき、第二ロックバーユニット２３は、第二ガイド片２１よりも戸尻側（一端側であって、開放側）に位置するように設定されており、この状態において、引き戸体落し錠２４を解錠操作して解錠姿勢とすると、上側ロッド２４ｂの下動に伴い第二ロックバー体２３ｂは下動姿勢となり、この状態となると、アーム片２３ｄが閉鎖（戸先）方向に移動した場合に第二ガイド片２１に当接する位置関係となるように設定されている。このため、この状態では、パネル部５が枢支軸４ｃを介して連結されるフレーム部４が閉鎖（戸先）側に平行移動しようとしたとして、第二ロックバー体２３ｂが第二ガイド片２１に当接（干渉）して閉鎖側へのそれ以上の平行移動が規制されることになり、これによって、パネル部５が意図しない不用意な移動をするようなことが防止されるように構成されている。
【００１７】
尚、引き戸体ユニット３が平行に開閉作動する中途開状態、即ち、第二ロックバーユニット２３が第二ガイド片２１の他側に位置している状態において、引き戸体落し錠２４が解錠姿勢になった場合、第二ロックバー体２３ｂは下動姿勢となるが、この状態では、パネル部５は、枢支軸４ｃと、止め金具２６および受け金具２６ａとによりフレーム部４に支持され、かつ、第一安全装置Ｓ１により閉鎖姿勢に姿勢保持がなされているため、パネル部５が揺動作動してしまうようなことはない。そして、前記状態で引き戸体ユニット３が開口部他側部を開放する場合では、下動姿勢となっている第二ロックバー体２３ｂは、第二ガイド片２１のガイド面２１ｃに案内される状態で強制的に上動して第二ガイド片２１を乗り越え、引き戸体ユニット３が全開姿勢となることで第二ロックバー体２３ｂが再度下動姿勢となるように設定されている。この状態となると、下動姿勢の第二ロックバー体２３ｂが第二ガイド片２１の閉鎖側に位置することになるので、引き戸体ユニット３を閉鎖作動させようとすると、第二ロックバー体２３ｂが第二ガイド片２１に干渉して閉鎖することができず、これによって、何らかの異状、即ち、引き戸体落し錠２４が解錠されていることが認識できるように配慮されている。
【００１８】
このように構成された開き戸機構付き引き戸において、引き戸体ユニット３を揺動戸体１に対して平行移動させる場合では、揺動戸体１を閉鎖姿勢とした状態で揺動戸体落し錠１７を施錠状態とする一方、引き戸体ユニット３を揺動戸体１に対して平行な位置関係とし、引き戸体落し錠２４を施錠状態とするが、この状態において、引き戸体ユニット３のパネル部５は、上下の枢支軸４ｃと止め金具２６および受け金具２６ａを介してフレーム部４に支持され、かつ、引き戸体落し錠２４と第一安全装置Ｓ１により閉鎖姿勢に姿勢保持がされている。そして、引き戸体ユニット３を全開姿勢とすることにより、引き戸体ユニット３は、第一安全装置Ｓ１の第一ロックバー体２２ｂが自動的に係合解除姿勢となり、この状態で、揺動戸体落し錠１７および引き戸体落し錠２４を解錠操作することにより、パネル部５は姿勢保持が解除されて揺動許容状態となるとともに、第二ロックバー体２３ｂが下動姿勢となる。この状態において、引き戸体ユニット３の操作ハンドル１８を室外側に押しやると、揺動戸体１とパネル部５とが上下の枢軸１ａ、上下の枢支軸４ｃとをそれぞれ支点として一体に開放揺動され、もって、揺動戸体１とパネル部５とが開き戸として開放するように設定されている。ここで、揺動戸体１とパネル部５とは、振れ止めローラ１４が引き戸体ユニット３の凹溝部５ｃ内を相対移動することにより、連結された状態で開放揺動するように設定されている。そして、この状態において、第二ロックバー体２３ｂは下動姿勢となっており、前述したように、開閉揺動するパネル部５がフレーム部４の平行移動に伴い不用意な動きをしてしまうようなことがないように構成されている。
尚、２５は開口部一側方室内側に設けられ、全開姿勢の引き戸体ユニット３の戸尻側部位（フレーム部４）の振れ止めをするための振れ止め体である。
【００１９】
叙述の如く構成された本発明の実施の形態において、引き戸体ユニット３は吊りレール６に沿って移動し、閉鎖時には吊りレール６が傾斜状態となっているため自動的に移動する（自閉する）。そして、引き戸体ユニット３が開口部の他側部を開放する開放姿勢となったとき、引き戸体ユニット３のパネル部５は揺動戸体１とともに室外側に開放揺動するように構成されており、このため、揺動戸体１は、上下の枢軸１ａを介して支持されている。そして、このものでは、引き戸体ユニット３のパネル部５を揺動戸体１とともに開き戸として機能させる場合では、引き戸体ユニット３を全開姿勢とすることになるが、このものでは、前記引き戸体ユニット３の全開姿勢において、引き戸体ユニット３を揺動作動させるべく引き戸体落し錠２４と揺動戸体落し錠１７とを解錠操作した場合、引き戸体落し錠２４に連動する状態で第二安全装置Ｓ２の第二ロックバー体２３ｂが下動姿勢となって、開放側に位置する第二ガイド片２１に当接可能な位置関係となっている。この結果、パネル部５が揺動作動する過程で、引き戸体ユニット３のフレーム部４が閉鎖側に移動しようとしても、第二ロックバー体２３ｂが第二ガイド片２１に当接して、それ以上の閉鎖作動を規制することができ、これによって、揺動戸体１とパネル部５とを一体に揺動作動させるとき、揺動方向以外の負荷がパネル部５やフレーム部４に作用してしまったとしても、引き戸体ユニット３（フレーム部４）が他側へ平行移動するような不用意な動きをすることがなく、揺動戸体１とパネル部５との開閉揺動を安定、かつ、操作性よく作動させることができる。
【００２０】
さらにこのものでは、平行移動規制手段である第二安全装置Ｓ２は、引き戸体ユニット３を揺動作動させるときに操作する引き戸体落し状２４の解錠操作に連動して第二ロックバー２３ｂを下動姿勢とし、該下動姿勢の第二ロックバー２３ｂが閉鎖方向に移動しようとしたとき、第二係止片２１に当接して該側への移動を規制する構成としているので、平行移動規制のための操作をわざわざ別途に行う必要がなく、操作忘れをすることがない。
【００２１】
しかも、このものにおいて、第二安全装置Ｓ２は、引き戸体ユニット３が予め設定される任意の開放位置、即ち、第二ガイド片２１を越える開放位置に達した状態で、第二ロックバー体２３ｂが下動姿勢に変位したときフレーム部４の閉鎖方向への平行移動を規制する構成となっており、これよりも閉鎖側で第二ロックバー体２３ｂが下動位置に変位した場合では、開放方向の平行移動は許容されるため、取り敢えず引き戸体ユニット３を開放することができる。
【００２２】
そのうえ、このものにおいて、フレーム部４とパネル部５とは、ロック手段である引き戸体落し錠２４と、引き戸体ユニット３が全開姿勢に変位することに伴い自動的に姿勢保持を解除する副ロック手段である第一安全装置Ｓ１とにより、閉鎖姿勢の状態で二重に姿勢保持されているため、引き戸体ユニット３が全開姿勢になっていない状態で引き戸体落し錠２４のロック解除をしても、パネル部５の開閉揺動がなされることがなく、操作性がよい。
【図面の簡単な説明】
【００２３】
【図１】開き戸機構付き引き戸の室内側からの概略正面図である。
【図２】開き戸機構付き引き戸から一部部材を取外した状態の室内側からの正面図である。
【図３】開き戸機構付き引き戸の平面断面図である。
【図４】開き戸機構付き引き戸の縦断面図である。
【図５】開き戸機構付き引き戸の縦断面図である。
【図６】開き戸機構付き引き戸の縦断面図である。
【図７】開き戸機構付き引き戸の縦断面図である。
【図８】図８（Ａ）、（Ｂ）、（Ｃ）はそれぞれ揺動戸体落し錠の平面図、側面図、正面図である。
【図９】図９（Ａ）、（Ｂ）、（Ｃ）、（Ｄ）、（Ｅ）はそれぞれ第一安全装置を構成する第一ロックバーユニットの側面図、平面図、正面図、第一ガイド片の側面図、正面図である。
【図１０】図１０（Ａ）、（Ｂ）、（Ｃ）、（Ｄ）、（Ｅ）はそれぞれ第二安全装置を構成する第二ロックバーユニットの側面図、平面図、正面図、第二ガイド片の側面図、正面図である。
【図１１】図１１（Ａ）、（Ｂ）はそれぞれ要部の縦断面図である。
【図１２】要部を説明する一部拡大正面図である。
【図１３】図１２の平面図である。
【図１４】開き戸機構付き引き戸の概略平面図である。
【図１５】開き戸機構付き引き戸の作動を説明する概略平面図である。
【符号の説明】
【００２４】
１    揺動戸体
２    上側枠体
３    引き戸体ユニット
４    フレーム部
５    パネル部
１７    揺動戸体落し錠
１７ｂ    上側ロッド
１８    操作ハンドル
２０    第一ガイド片
２１    第二ガイド片
２１ａ    上側ガイド面
２２    第一ロックバーユニット
２３    第二ロックバーユニット
２３ｂ    第二ロックバー体
２４    引き戸体落し錠
２４ｂ    上側ロッド
【図１】
2005048540.tif 000003
【図２】
2005048540.tif 000004
【図３】
2005048540.tif 000005
【図４】
2005048540.tif 000006
【図５】
2005048540.tif 000007
【図６】
2005048540.tif 000008
【図７】
2005048540.tif 000009
【図８】
2005048540.tif 000010
【図９】
2005048540.tif 000011
【図１０】
2005048540.tif 000012
【図１１】
2005048540.tif 000013
【図１２】
2005048540.tif 000014
【図１３】
2005048540.tif 000015
【図１４】
2005048540.tif 000016
【図１５】
2005048540.tif 000017